(57)【要約】      （修正有）【課題】養生材の着脱を容易に切り替えられ、かつ、既設のエレベーターのかごに容易に適用できるエレベーターのかご側壁養生装置を提供する。【解決手段】かご側壁養生装置６は、収納箱７と、養生体１４と、を備える。養生体１４は、吸着部２１を備える。収納状態において、意匠面１２は、かご側壁養生装置６の前面をなす。養生体１４は、収納状態において上側養生面１７および下側養生面１８が意匠面１２より後方となるように収納箱７に収納される。収納状態から使用状態への切替えにおいて、上側養生面１７は、収納箱７から上方に平行移動させられる。使用状態において、吸着部２１は、側壁３に吸着することで上側養生面１７を収納箱７より上方の側壁３の前方に保持する。使用状態において、下側養生面１８が意匠面１２の前方に配置される。【選択図】図５
2020045232.tif 000002
【特許請求の範囲】
【請求項１】
エレベーターのかごの内側の側壁に沿って前記側壁の前方に設けられる収納箱と、
意匠面を有し、収納状態において前記意匠面が前記収納箱の前面に配置される意匠板と、
吸着部を備え、上側養生面および下側養生面を有し、前記収納状態において前記意匠面より後方で前記収納箱に収納され、前記収納状態から使用状態への切替えにおいて前記上側養生面が前記収納箱から上方に平行移動させられ、前記使用状態において前記吸着部が前記側壁に吸着することで前記上側養生面を前記収納箱より上方の前記側壁の前方に保持し、前記使用状態において前記下側養生面が前記意匠面の前方に配置される養生体と、
を備えるエレベーターのかご側壁養生装置。
【請求項２】
エレベーターのかごの内側の側壁に沿って前記側壁の前方に設けられ、前面に意匠面を有する収納箱と、
吸着部を備え、上側養生面および下側養生面を有し、収納状態において前記意匠面より後方で前記収納箱に収納され、前記収納状態から使用状態への切替えにおいて前記上側養生面が前記収納箱から上方に平行移動させられ、前記使用状態において前記吸着部が前記側壁に吸着することで前記上側養生面を前記収納箱より上方の前記側壁の前方に保持し、前記使用状態において前記下側養生面が前記意匠面の前方に配置される養生体と、
を備えるエレベーターのかご側壁養生装置。
【請求項３】
エレベーターのかごの内側の側壁に沿って前記側壁の前方に設けられる収納箱と、
吸着部を備え、意匠面、上側養生面および下側養生面を有し、収納状態において前記意匠面が前記収納箱の前面に配置され、前記収納状態において前記収納箱に収納され、前記収納状態から使用状態への切替えにおいて前記上側養生面が前記収納箱から上方に平行移動させられ、前記使用状態において前記吸着部が前記側壁に吸着することで前記上側養生面を前記収納箱より上方の前記側壁の前方に保持し、前記使用状態において前記下側養生面が前記意匠面の前方に配置される養生体と、
を備えるエレベーターのかご側壁養生装置。
【請求項４】
前記養生体は、一方の面に前記下側養生面を有し他方の面に前記意匠面を有する一枚の下側養生板を備える請求項３に記載のエレベーターのかご側壁養生装置。
【請求項５】
前記養生体は、前記上側養生面と前記下側養生面とを互いの法線が同一面内にあるように折り畳み可能に接続する中間部を備える請求項１から請求項４のいずれか一項に記載のエレベーターのかご側壁養生装置。
【請求項６】
前記養生体は、前記下側養生面を有する下側養生幕と、前記下側養生幕を巻き取る巻取り装置と、を備える請求項１から請求項３のいずれか一項に記載のエレベーターのかご側壁養生装置。
【請求項７】
前記収納箱は、上端の後側を支点として開閉する蓋を備える請求項１から請求項６のいずれか一項に記載のエレベーターのかご側壁養生装置。
【請求項８】
前記蓋は、前記収納状態において閉じているときに、少なくとも一部が前記意匠面より前方に配置される請求項７に記載のエレベーターのかご側壁養生装置。
【請求項９】
前記蓋は、前記使用状態において開いているときに、前記上側養生面より後方に配置される請求項７または請求項８に記載のエレベーターのかご側壁養生装置。
【請求項１０】
前記養生体は、前記上側養生面を有する一枚の上側養生板を備える請求項１から請求項９のいずれか一項に記載のエレベーターのかご側壁養生装置。
【請求項１１】
前記収納箱は、前記収納状態から前記使用状態への切替えにおける前記上側養生板の上方への平行移動をガイドするガイド部を備える請求項１０に記載のエレベーターのかご側壁養生装置。
【請求項１２】
前記収納箱は、上下方向を軸として他の収納箱を回転可能に接続する接続部を左右の少なくとも一方の端部に備える請求項１から請求項１１のいずれか一項に記載のエレベーターのかご側壁養生装置。
【発明の詳細な説明】
【技術分野】
【０００１】
本発明は、エレベーターのかご側壁養生装置に関する。
【背景技術】
【０００２】
特許文献１にエレベーターのかご側壁養生装置の例が記載されている。かご側壁養生装置は、かごの外側に巻取り装置を備える。かごの側壁を養生するときに、養生幕は、巻取り装置から引き出される。かご側壁養生装置は、養生材である養生幕の着脱を容易に切り替えられる。
【先行技術文献】
【特許文献】
【０００３】
【特許文献１】実開平１−１７４３８１号公報
【発明の概要】
【発明が解決しようとする課題】
【０００４】
しかしながら、特許文献１に記載のかご側壁養生装置は、養生幕をかごの側壁に設けられたスリットからかごの内側に引き込む。このため、かご側壁養生装置は、スリットなどのない既設のエレベーターのかごに容易に適用されない。
【０００５】
本発明は、このような課題を解決するためになされた。本発明の目的は、養生材の着脱を容易に切り替えられ、かつ、既設のエレベーターのかごに容易に適用できるかご側壁養生装置を提供することである。
【課題を解決するための手段】
【０００６】
本発明に係るエレベーターのかご側壁養生装置は、エレベーターのかごの内側の側壁に沿って側壁の前方に設けられる収納箱と、意匠面を有し、収納状態において意匠面が収納箱の前面に配置される意匠板と、吸着部を備え、上側養生面および下側養生面を有し、収納状態において意匠面より後方で収納箱に収納され、収納状態から使用状態への切替えにおいて上側養生面が収納箱から上方に平行移動させられ、使用状態において吸着部が側壁に吸着することで上側養生面を収納箱より上方の側壁の前方に保持し、使用状態において下側養生面が意匠面の前方に配置される養生体と、を備える。
【０００７】
本発明に係るエレベーターのかご側壁養生装置は、エレベーターのかごの内側の側壁に沿って側壁の前方に設けられ、前面に意匠面を有する収納箱と、吸着部を備え、上側養生面および下側養生面を有し、収納状態において意匠面より後方で収納箱に収納され、収納状態から使用状態への切替えにおいて上側養生面が収納箱から上方に平行移動させられ、使用状態において吸着部が側壁に吸着することで上側養生面を収納箱より上方の側壁の前方に保持し、使用状態において下側養生面が意匠面の前方に配置される養生体と、を備える。
【０００８】
本発明に係るエレベーターのかご側壁養生装置は、エレベーターのかごの内側の側壁に沿って側壁の前方に設けられる収納箱と、吸着部を備え、意匠面、上側養生面および下側養生面を有し、収納状態において意匠面が収納箱の前面に配置され、収納状態において収納箱に収納され、収納状態から使用状態への切替えにおいて上側養生面が収納箱から上方に平行移動させられ、使用状態において吸着部が側壁に吸着することで上側養生面を収納箱より上方の側壁の前方に保持し、使用状態において下側養生面が意匠面の前方に配置される養生体と、を備える。
【発明の効果】
【０００９】
これらの発明によれば、エレベーターのかご側壁養生装置は、収納箱と、養生体と、を備える。かご側壁養生装置は、意匠面を有する。養生体は、吸着部を備える。養生体は、上側養生面および下側養生面を有する。収納状態において、意匠面は、かご側壁養生装置の前面をなす。養生体は、収納状態において上側養生面および下側養生面が意匠面より後方となるように収納箱に収納される。収納状態から使用状態への切替えにおいて、上側養生面は、収納箱から上方に平行移動させられる。使用状態において、吸着部は、側壁に吸着することで上側養生面を収納箱より上方の側壁の前方に保持する。使用状態において、下側養生面が意匠面の前方に配置される。これにより、養生材の着脱を容易に切り替えられ、かつ、既設のエレベーターのかごに容易に適用できる。
【図面の簡単な説明】
【００１０】
【図１】実施の形態１に係るかご側壁養生装置の上面図である。
【図２】実施の形態１に係るかご側壁養生装置の正面図である。
【図３】実施の形態１に係るかご側壁養生装置の上面図である。
【図４】実施の形態１に係るかご側壁養生装置のＡ−Ａ断面図である。
【図５】実施の形態１に係るかご側壁養生装置のＡ−Ａ断面図である。
【図６】実施の形態１に係るかご側壁養生装置の正面図である。
【図７】実施の形態２に係るかご側壁養生装置の正面図である。
【図８】実施の形態２に係るかご側壁養生装置の上面図である。
【図９】実施の形態２に係るかご側壁養生装置のＡ−Ａ断面図である。
【図１０】実施の形態２に係るかご側壁養生装置のＡ−Ａ断面図である。
【図１１】実施の形態２に係るかご側壁養生装置の正面図である。
【図１２】実施の形態３に係るかご側壁養生装置の上面図である。
【図１３】実施の形態３に係るかご側壁養生装置のＡ−Ａ断面図である。
【図１４】実施の形態３に係るかご側壁養生装置のＡ−Ａ断面図である。
【図１５】実施の形態３に係るかご側壁養生装置の正面図である。
【図１６】実施の形態４に係るかご側壁養生装置の上面図である。
【図１７】実施の形態４に係るかご側壁養生装置のＡ−Ａ断面図である。
【図１８】実施の形態４に係るかご側壁養生装置のＡ−Ａ断面図である。
【発明を実施するための形態】
【００１１】
本発明を実施するための形態について添付の図面を参照しながら説明する。各図において、同一または相当する部分には同一の符号を付して、重複する説明は適宜に簡略化または省略する。
【００１２】
実施の形態１．
図１から図４を用いて実施の形態１に係るかご側壁養生装置の構成を説明する。
図１は、実施の形態１に係るかご側壁養生装置の上面図である。図２は、実施の形態１に係るかご側壁養生装置の正面図である。図３は、実施の形態１に係るかご側壁養生装置の上面図である。図４は、実施の形態１に係るかご側壁養生装置のＡ−Ａ断面図である。
【００１３】
図１において、エレベーターのかご１の内側が示される。エレベーターは、建築物に設けられる。建築物は、複数の階を備える。エレベーターにおいて、昇降路は複数の階を貫く。かご１は、例えば巻上機によって昇降路の内部を鉛直方向に走行することで、複数の階の間で利用者を輸送する装置である。かご１は、例えば直方体状の形状である。かご１は、床面２と、側壁３と、を備える。床面２は、かご１の下面をなす。側壁３は、かご１の側面をなす。側壁３は、磁力によって磁石が吸着しうる例えば鉄などを含む金属材料で形成される。側壁３は、下端に巾木４を有する。かご１は、かご扉５を備える。かご扉５は、かご１の側面に設けられる。かご扉５は、かご１が複数の階のいずれかに停止しているときに、利用者がかご１に乗降しうるように開閉する装置である。
【００１４】
かご１は、建築物において物品を複数の階の間で運搬する運搬作業にも用いられる。このとき、側壁３を保護するため、複数のかご側壁養生装置６がかご１の内側に設けられる。一方、運搬作業が行われていないとき、あるいは運搬作業が一時的に中断しているときなどの側壁３が損傷するおそれが少ない場合において、かご１の内側の意匠性は、養生材などによって損なわれないことが望まれる。このため、複数のかご側壁養生装置６の各々の状態は、作業員によって使用状態と収納状態とが切り替えられる。使用状態は、かご１の側壁３を保護する状態である。収納状態は、かご１の内側の意匠性が損なわれない状態である。
【００１５】
複数のかご側壁養生装置６の各々は、収納箱７を備える。収納箱７は、平坦な直方体状の形状である。収納箱７の厚さ方向は、前後方向である。収納箱７は、かご扉５が設けられない側面の側壁３に沿って側壁３の前方に設けられる。側壁３の前方は、側壁３よりかご１の内側の方向である。収納箱７の背面は、側壁３に対向する。収納箱７は、背面に図示されない磁石を備える。収納箱７の背面の磁石は、磁力により側壁３に吸着する。収納箱７は、左右の少なくとも一方の端部に接続部８を備える。接続部８は、上下方向を軸として他のかご側壁養生装置６の収納箱７を回転可能に接続する。接続部８は、例えばヒンジである。
【００１６】
収納箱７は、蓋９を備える。蓋９は、収納箱７の上端に設けられる。蓋９は、開閉可能である。蓋９は、複数の把持部１０を有する。複数の把持部１０は、例えば長穴である。複数の把持部１０は、収納箱７の前方に設けられる。
【００１７】
図２において、収納状態における１つのかご側壁養生装置６が示される。
【００１８】
複数のかご側壁養生装置６の各々は、意匠板１１を備える。
【００１９】
意匠板１１は、一枚の板状の部材である。意匠板１１は、例えば矩形の部材である。意匠板１１は、正面に意匠面１２を有する。意匠面１２は、意匠性を高める模様、色彩または質感などを有する面である。
【００２０】
収納箱７は、前面に切抜き溝１３を有する。切抜き溝１３は、収納箱７の前面の下端部および左右の両端部によってコの字状に囲まれる溝である。収納状態において、収納箱７の前面の切抜き溝１３を通じて、意匠板１１の意匠面１２が収納箱７の前面に配置される。
【００２１】
図３において、収納状態における１つのかご側壁養生装置６について、収納箱７の蓋９が開いている状態が示される。
【００２２】
複数のかご側壁養生装置６の各々は、養生体１４を備える。
【００２３】
養生体１４は、上側養生板１５と、下側養生板１６と、を備える。上側養生板１５は、一枚の板状の部材である。上側養生板１５は、養生材である。上側養生板１５は、例えば矩形の部材である。上側養生板１５は、上側養生面１７を有する。上側養生面１７は、養生面である。下側養生板１６は、一枚の板状の部材である。下側養生板１６は、養生材である。下側養生板１６は、例えば矩形の部材である。下側養生板１６は、下側養生面１８を有する。下側養生面１８は、養生面である。養生材は、養生面を有する部材である。養生面は、後方の側壁３などを保護する面である。
【００２４】
収納箱７は、上端に収納口１９を有する。収納口１９は、開口である。収納箱７は、一対のガイド部２０を備える。一対のガイド部２０の各々は、上下方向に延びる部材である。一対のガイド部２０の各々の断面は、例えばコの字状の形状である。一対のガイド部２０の各々は、互いに対向するように収納箱７の左右の各々の端部に設けられる。一対のガイド部２０の各々は、上側養生板１５の左右の各々の端部を囲う。一対のガイド部２０の各々は、下側養生板１６の左右の各々の端部を囲う。一対のガイド部２０の各々は、意匠板１１の左右の各々の端部を囲う。
【００２５】
図４において、収納状態における１つのかご側壁養生装置６について、収納箱７の蓋９が閉じている状態が示される。
【００２６】
養生体１４は、複数の吸着部２１を備える。複数の吸着部２１の各々は、例えば磁石である。複数の吸着部２１の各々は、上側養生板１５の背面の上端に設けられる。
【００２７】
蓋９は、後端に接続部材２２を備える。接続部材２２は、例えばヒンジである。蓋９は、接続部材２２を支点として開閉する。蓋９は、収納状態において閉じているときに、前端部が意匠板１１の意匠面１２より前方に配置される。
【００２８】
収納箱７は、床面２に置かれている。収納箱７の高さは、側壁３の巾木４の高さより高い。
【００２９】
収納状態において、意匠板１１の養生面は収納箱７の前面に配置される。養生体１４は、意匠板１１の意匠面１２より後方で収納箱７に収納される。下側養生板１６は、意匠板１１より後方に収納される。上側養生板１５は、下側養生板１６より後方に配置される。上側養生板１５は、上側養生面１７を前面に向けて収納される。意匠板１１の高さは、側壁３の巾木４の高さより高い。上側養生板１５の高さは、側壁３の巾木４の高さより高い。下側養生板１６の高さは、側壁３の巾木４の高さより高い。
【００３０】
続いて、図５および図６を用いて実施の形態１に係るかご側壁養生装置による養生材の着脱を説明する。
図５は、実施の形態１に係るかご側壁養生装置のＡ−Ａ断面図である。図６は、実施の形態１に係るかご側壁養生装置の正面図である。
【００３１】
図５において、使用状態における１つのかご側壁養生装置６が示される。
【００３２】
例えば運搬作業の前に、複数のかご側壁養生装置６は、作業員によって収納状態でかご１の内部に搬入される。複数のかご側壁養生装置６は、接続部８を支点として折り畳まれた状態で搬入される。作業員は、複数のかご側壁養生装置６をかご１の内部に搬入した後に、複数のかご側壁養生装置６の各々をかご１の側壁３に沿って側壁３の前方に配置する。
【００３３】
作業員は、運搬作業を開始する前に、複数のかご側壁養生装置６の各々を使用状態に切り替える。作業員は、収納状態から使用状態に切り替えるときに、蓋９を開く。作業員は、上側養生板１５を、収納箱７の上端から上方にそのまま引き出す。上側養生板１５は、一対のガイド部２０にガイドされながら上方に平行移動させられる。平行移動は、変形を伴わない移動である。作業員は、複数の吸着部２１の各々を側壁３の上部に吸着させる。複数の吸着部２１は、上側養生板１５を保持する。上側養生板１５は、収納箱７より上方の側壁３の前方に配置される。上側養生板１５は、上側養生面１７を前方に向けて配置される。
【００３４】
使用状態において、蓋９は、上側養生板１５より後方に配置される。蓋９は、上側養生板１５に支持されることにより、開いている状態が維持される。
【００３５】
作業員は、下側養生板１６を収納箱７の上端から上方に引き出す。作業員は、収納箱７の上端から下側養生板１６を意匠板１１より前に下方に挿入する。すなわち、作業員は、下側養生板１６と意匠板１１との前後を入れ替える。下側養生板１６は、下側養生面１８を前方に向けて配置される。下側養生面１８は、意匠面１２の前方に配置される。
【００３６】
図６において、使用状態における１つのかご側壁養生装置６が示される。
【００３７】
使用状態において、養生体１４は、上側養生板１５と下側養生板１６とによって、側壁３を前方から覆うことで保護する。また、下側養生板１６は、意匠面１２を前方から覆うことで保護する。
【００３８】
作業員は、運搬作業が終了したとき、あるいは運搬作業を一時的に中断するときに、複数のかご側壁養生装置６の各々を収納状態に切り替える。作業員は、上側養生板１５を手前に引くことで、複数の吸着部２１の各々を側壁３から取り外す。上側養生板１５は、一対のガイド部２０にガイドされながら下方に平行移動させられる。作業員は、上側養生板１５を、収納箱７の上端から下方にそのまま収納する。作業員は、下側養生板１６と意匠板１１との前後を入れ替える。意匠板１１は、意匠面１２を前方に向けて配置される。作業員は、蓋９を閉める。養生体１４は、意匠面１２より後方で収納箱７に収納される。
【００３９】
以上に説明したように、実施の形態１に係るエレベーターのかご側壁養生装置６は、収納箱７と、意匠板１１と、養生体１４と、を備える。収納箱７は、エレベーターのかご１の内側の側壁３に沿って側壁３の前方に設けられる。意匠板１１は、意匠面１２を有する。収納状態において、意匠板１１の意匠面１２は、収納箱７の前面に配置される。養生体１４は、吸着部２１を備える。養生体１４は、上側養生面１７および下側養生面１８を有する。収納状態において、養生体１４は、意匠面１２より後方で収納箱７に収納される。収納状態から使用状態への切替えにおいて、養生体１４の上側養生面１７は、収納箱７から上方に平行移動させられる。使用状態において、吸着部２１は、側壁３に吸着することで上側養生面１７を収納箱７より上方の側壁３の前方に保持する。使用状態において、養生体１４の下側養生面１８は、意匠面１２の前方に配置される。
【００４０】
収納箱７は、かご１の内側に直接設けられる。これにより、既設のエレベーターのかご１に容易に適用できる。収納状態において、養生体１４は意匠面１２より後方で収納箱７に収納される。このため、収納状態において養生体１４は隠蔽される。これにより、収納状態においてかご１の内側の意匠性が損なわれない。下側養生面１８は、使用状態において意匠面１２より前方に配置される。上側養生面１７は、収納箱７より上方の側壁３の前方に配置される。これにより、側壁３および意匠面１２が保護される。収納状態から使用状態への切替えは、上側養生面１７を有する上側養生板１５を収納箱７からそのまま上方に引き上げることで行われる。上側養生板１５は、吸着部２１により側壁３に保持される。このため、かご側壁養生装置６の収納状態から使用状態への切り替えが容易にできる。これにより、かご側壁養生装置６は、養生材の着脱を容易に切り替えられ、かつ、既設のエレベーターのかご１に容易に適用できる。
【００４１】
収納状態において、養生体１４は収納箱７に収納されている。このため、作業員は、養生体１４を保管する場所をかご１の外に別途確保する必要がない。
【００４２】
また、収納箱７は、蓋９を備える。蓋９は、収納箱７の上端の後側を支点として開閉する。
【００４３】
収納状態において、養生体１４は、収納箱７の上方からも隠蔽される。このため、かご１の内側の意匠性は損なわれない。蓋９は後側を支点として開閉する。このため、蓋９を開く動作と上側養生板１５を引き上げる動作とが、一連の動作として行いやすくなる。これにより、養生材の着脱がより容易になる。
【００４４】
また、蓋９は、収納状態において閉じているときに、少なくとも一部が意匠面１２より前方に配置される。
【００４５】
利用者は、閉じている蓋９に手を添えて乗車できる。すなわち、利用者は、蓋９を手摺として利用できる。また、蓋９は、把持部１０を有する。これにより、利用者は、蓋９を手摺としてより利用しやすくなる。また、作業員は、把持部１０を持って蓋９の開閉をすることができる。これにより、蓋９の開閉動作がより容易になる。
【００４６】
また、蓋９は、使用状態において開いているときに、上側養生面１７より後方に配置される。
【００４７】
これにより、使用状態において、蓋９が隠蔽される。また、使用状態において、上側養生面１７を有する上側養生板１５によって、蓋９が開いている状態で保持される。
【００４８】
また、養生体１４は、一枚の上側養生板１５を備える。上側養生板１５は、上側養生面１７を有する。
【００４９】
上側養生板１５は、使用状態と収納状態との切替えにおいて、変形を必要としない。上側養生板１５は、側壁に沿った状態のまま収納箱７に収納される。このため、収納箱７の厚さが薄くなる。これにより、かご側壁養生装置６が利用者の邪魔になりにくい。また、作業員は、使用状態と収納状態との切替えにおいて、上側養生板１５を変形させずにそのまま引き出せる。これにより、養生材の着脱がより容易になる。
【００５０】
また、収納箱７は、ガイド部２０を備える。ガイド部２０は、収納状態から使用状態への切替えにおける上側養生板１５の上方への平行移動をガイドする。
【００５１】
これにより、上側養生板１５は、収納状態から使用状態への切替えにおいて、スムーズに引き上げられる。また、上側養生板１５は、使用状態から収納状態への切替えにおいて、スムーズに収納される。これにより、養生材の着脱がより容易になる。
【００５２】
また、収納箱７は、接続部８を左右の少なくとも一方の端部に備える。接続部８は、上下方向を軸として他の収納箱７を回転可能に接続する。
【００５３】
これにより、作業員は、複数の側壁３を保護する複数のかご側壁養生装置６をかご１の内部に容易に搬入できる。また、作業員は、複数の側壁３を保護する複数のかご側壁養生装置６をかご１の内部から容易に搬出できる。
【００５４】
また、収納箱７の高さは、側壁３の巾木４の高さより高い。側壁３の下部において、利用者の足元に段差ができない。このため、側壁３の近くに立って乗車する利用者が誤って踏むことが防がれる。また、収納箱７は、巾木４の前方に配置される。巾木４の前面に化粧板が設けられる場合においても、巾木４の化粧板が保護される。
【００５５】
なお、蓋９の形状は、手摺として利用しやすいように適当な形状としてもよい。また、収納箱７は、蓋９を備えなくてもよい。これにより、養生材の着脱がより容易になる。
【００５６】
また、収納箱７は、接続部８を備えなくてもよい。複数のかご側壁養生装置６は、個別にかご１の内部に搬入されてもよい。複数のかご側壁養生装置６は、かご１の内側に常設されてもよい。
【００５７】
また、養生体１４は、上側養生板１５に替えて上側養生幕を備えてもよい。上側養生板１５は、一枚の幕状の部材である。上側養生幕は、例えば矩形の部材である。上側養生幕は、上側養生面１７を有する。上側養生幕は、養生材である。養生体１４は、下側養生板１６に替えて下側養生幕を備えてもよい。下側養生板１６は、一枚の幕状の部材である。下側養生幕は、例えば矩形の部材である。下側養生幕は、下側養生面１８を有する。下側養生幕は、養生材である。
【００５８】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００５９】
図７から図９を用いて実施の形態２に係るかご側壁養生装置の構成を説明する。
図７は、実施の形態２に係るかご側壁養生装置の正面図である。図８は、実施の形態２に係るかご側壁養生装置の上面図である。図９は、実施の形態２に係るかご側壁養生装置のＡ−Ａ断面図である。
【００６０】
図７において、収納状態における１つのかご側壁養生装置６が示される。
【００６１】
収納箱７は、前面に切抜き溝を有しない。収納箱７の前面の少なくとも一部は、磁力によって磁石が吸着しうる例えば鉄などを含む金属材料で形成される。収納箱７は、前面に意匠面１２を有する。収納状態において、収納箱７の意匠面１２が収納箱７の前面に露出する。
【００６２】
図８において、収納状態における１つのかご側壁養生装置６について、収納箱７の蓋９が開いている状態が示される。
【００６３】
複数のかご側壁養生装置６の各々は、養生体１４を備える。
【００６４】
養生体１４は、上側養生板１５と、下側養生板１６と、を備える。上側養生板１５は、一枚の板状の部材である。上側養生板１５は、例えば矩形の部材である。上側養生板１５は、養生面を有する。上側養生板１５は、養生材である。下側養生板１６は、一枚の板状の部材である。下側養生板１６は、例えば矩形の部材である。下側養生板１６は、養生面を有する。下側養生板１６は、養生材である。
【００６５】
収納箱７は、上端に収納口１９を有する。収納箱７は、一対のガイド部２０を備える。一対のガイド部２０の各々は、上下方向に延びる部材である。一対のガイド部２０の各々の断面は、例えばコの字状の形状である。一対のガイド部２０の各々は、互いに対向するように収納箱７の左右の各々の端部に設けられる。一対のガイド部２０の各々は、養生体１４の左右の各々の端部を囲う。
【００６６】
図９において、収納状態における１つのかご側壁養生装置６について、収納箱７の蓋９が閉じている状態が示される。
【００６７】
養生体１４は、複数の吸着部２１と、複数の下側吸着部２３と、中間部２４と、を備える。複数の吸着部２１の各々は、例えば磁石である。複数の吸着部２１の各々は、上側養生板１５の背面の上端または下端に設けられる。複数の下側吸着部２３の各々は、例えば磁石である。複数の下側吸着部２３の各々は、下側養生板１６の背面に設けられる。中間部２４は、一枚の板状の部材である。中間部２４は、例えば長方形状の部材である。中間部２４の長辺の一方は、例えばヒンジによって折り曲げ可能に上側養生板１５の一辺と接続される。中間部２４の長辺の他方は、例えばヒンジによって折り曲げ可能に下側養生板１６の一辺と接続される。すなわち、中間部２４は、上側養生面１７と下側養生面１８とを互いの法線が同一面内にあるように折り畳み可能に接続する。
【００６８】
収納状態において、養生体１４は、収納箱７の意匠面１２より後方で収納箱７に収納される。上側養生板１５は、下側養生板１６より後方に配置される。上側養生板１５は、上側養生面１７を前面に向けて収納される。下側養生板１６は、下側養生面１８を後方に向けて収納される。すなわち、養生体１４は、折り畳まれた状態で収納される。
【００６９】
続いて、図１０および図１１を用いて実施の形態２に係るかご側壁養生装置による養生材の着脱を説明する。
図１０は、実施の形態２に係るかご側壁養生装置のＡ−Ａ断面図である。図１１は、実施の形態２に係るかご側壁養生装置の正面図である。
【００７０】
図１０において、使用状態における１つのかご側壁養生装置６が示される。
【００７１】
作業員は、運搬作業を開始する前に、複数のかご側壁養生装置６の各々を使用状態に切り替える。作業員は、収納状態から使用状態に切り替えるときに、蓋９を開く。作業員は、折り畳まれた状態の養生体１４を収納箱７の上端から上方にそのまま引き出す。養生体１４は、一対のガイド部２０にガイドされながら上方に平行移動させられる。作業員は、複数の吸着部２１の各々を側壁３の上部に吸着させる。複数の吸着部２１は、上側養生板１５を保持する。上側養生板１５は、収納箱７より上方の側壁３の前方に配置される。上側養生板１５は、上側養生面１７を前方に向けて配置される。作業員は、下側養生板１６を手前に倒しながら下方に下ろす。作業員は、複数の下側吸着部２３の各々を収納箱７の前面に吸着させる。複数の下側吸着部２３は、下側養生板１６を保持する。下側養生板１６は、収納箱７の意匠面１２の前方に配置される。下側養生板１６は、下側養生面１８を前方に向けて配置される。
【００７２】
図１１において、使用状態における１つのかご側壁養生装置６が示される。
【００７３】
使用状態において、養生体１４は、上側養生板１５と下側養生板１６とによって、側壁３を前方から覆うことで保護する。また、下側養生板１６は、意匠面１２を前方から覆うことで保護する。
【００７４】
作業員は、運搬作業が終了したとき、あるいは運搬作業を一時的に中断するときに、複数のかご側壁養生装置６の各々を収納状態に切り替える。作業員は、下側養生板１６を手前に引くことで、複数の下側吸着部２３の各々を収納箱７の前面から取り外す。作業員は、下側養生板１６を手前に引きながら上方に折り畳む。収納箱７の意匠面１２は、前方に露出する。養生体１４は、折り畳まれる。作業員は、上側養生板１５を手前に引くことで、複数の吸着部２１の各々を側壁３から取り外す。折り畳まれた状態の養生体１４は、一対のガイド部２０にガイドされながら下方に平行移動させられる。作業員は、養生体１４を、収納箱７の上端から下方にそのまま収納する。作業員は、蓋９を閉める。養生体１４は、意匠面１２より後方で収納箱７に収納される。
【００７５】
以上に説明したように、実施の形態２に係るエレベーターのかご側壁養生装置６は、収納箱７と、養生体１４と、を備える。収納箱７は、エレベーターのかご１の内側の側壁３に沿って側壁３の前方に設けられる。収納箱７は、前面に意匠面１２を有する。養生体１４は、吸着部２１を備える。養生体１４は、上側養生面１７および下側養生面１８を有する。収納状態において、養生体１４は、意匠面１２より後方で収納箱７に収納される。収納状態から使用状態への切替えにおいて、養生体１４の上側養生面１７は、収納箱７から上方に平行移動させられる。使用状態において、吸着部２１は、側壁３に吸着することで上側養生面１７を収納箱７より上方の側壁３の前方に保持する。使用状態において、養生体１４の下側養生面１８は、意匠面１２の前方に配置される。
【００７６】
収納箱７は、かご１の内側に直接設けられる。これにより、既設のエレベーターのかご１に容易に適用できる。収納状態において、養生体１４は意匠面１２より後方で収納箱７に収納される。このため、収納状態において養生体１４は隠蔽される。これにより、収納状態においてかご１の内側の意匠性が損なわれない。下側養生面１８は、使用状態において意匠面１２より前方に配置される。上側養生面１７は、収納箱７より上方の側壁３の前方に配置される。これにより、側壁３および意匠面１２が保護される。収納状態から使用状態への切替えは、上側養生面１７を有する上側養生板１５を収納箱７からそのまま上方に引き上げることで行われる。上側養生板１５は、吸着部２１により側壁３に保持される。このため、かご側壁養生装置６の収納状態から使用状態への切り替えが容易にできる。これにより、かご側壁養生装置６は、養生材の着脱を容易に切り替えられ、かつ、既設のエレベーターのかご１に容易に適用できる。
【００７７】
また、養生体１４は、中間部２４を備える。中間部２４は、上側養生面１７と下側養生面１８とを互いの法線が同一面内にあるように折り畳み可能に接続する。
【００７８】
上側養生板１５および下側養生板１６は、中間部２４によって一体の養生体１４を形成する。このため、作業員は、養生体１４を一体として収納箱７から取り出すことができる。また、作業員は、養生体１４を一体として収納箱７に収納することができる。これにより、養生材の着脱がより容易になる。
【００７９】
養生体１４は、上側養生板１５に替えて上側養生幕を備えてもよい。養生体１４は、下側養生板１６に替えて下側養生幕を備えてもよい。中間部２４は、上側養生幕および下側養生幕と連続する柔軟な幕であってもよい。すなわち、養生体１４は、上側養生面１７および下側養生面１８を有する折り畳み可能な一枚の幕であってもよい。養生体１４は、養生材である。
【００８０】
実施の形態３．
実施の形態３では、実施の形態１または実施の形態２で開示された例と相違する点について詳しく説明する。実施の形態３で説明しない特徴については、実施の形態１または実施の形態２で開示された例のいずれの特徴が採用されてもよい。
【００８１】
図１２から図１３を用いて実施の形態３に係るかご側壁養生装置の構成を説明する。
図１２は、実施の形態３に係るかご側壁養生装置の上面図である。図１３は、実施の形態３に係るかご側壁養生装置のＡ−Ａ断面図である。
【００８２】
図１２において、収納状態における１つのかご側壁養生装置６について、収納箱７の蓋９が開いている状態が示される。
【００８３】
複数のかご側壁養生装置６の各々は、養生体１４を備える。
【００８４】
養生体１４は、上側養生板１５と、下側養生幕２５と、巻取り装置２６と、を備える。上側養生板１５は、一枚の板状の部材である。上側養生板１５は、例えば矩形の部材である。上側養生板１５は、上側養生面１７を有する。上側養生板１５は、養生材である。下側養生幕２５は、一枚の幕状の部材である。下側養生幕２５は、例えば矩形の部材である。下側養生幕２５は、下側養生面１８を有する。下側養生幕２５は、養生材である。巻取り装置２６は、上側養生板１５の下端に設けられる。巻取り装置２６は、左右方向に延びる巻取り軸を有する。巻取り装置２６は、下側養生幕２５を巻取り軸のまわりに巻き取ることで収納する装置である。収納状態において、下側養生幕２５は、下端部を残して巻取り装置２６に巻き取られている。
【００８５】
図１３において、収納状態における１つのかご側壁養生装置６について、収納箱７の蓋９が閉じている状態が示される。
【００８６】
養生体１４は、複数の吸着部２１と、複数の下側吸着部２３と、を備える。複数の吸着部２１の各々は、例えば磁石である。複数の吸着部２１の各々は、上側養生板１５の背面の上端または下端に設けられる。複数の下側吸着部２３の各々は、例えば磁石である。複数の下側吸着部２３の各々は、下側養生板１６の下端部の背面に設けられる。
【００８７】
収納状態において、養生体１４は、収納箱７の意匠面１２より後方で収納箱７に収納される。上側養生板１５は、上側養生面１７を前面に向けて収納される。
【００８８】
続いて、図１４および図１５を用いて実施の形態３に係るかご側壁養生装置による養生材の着脱を説明する。
図１４は、実施の形態３に係るかご側壁養生装置のＡ−Ａ断面図である。図１５は、実施の形態３に係るかご側壁養生装置の正面図である。
【００８９】
図１４において、使用状態における１つのかご側壁養生装置６が示される。
【００９０】
作業員は、運搬作業を開始する前に、複数のかご側壁養生装置６の各々を使用状態に切り替える。作業員は、収納状態から使用状態に切り替えるときに、蓋９を開く。作業員は、養生体１４を収納箱７の上端から上方にそのまま引き出す。養生体１４は、一対のガイド部２０にガイドされながら上方に平行移動させられる。作業員は、複数の吸着部２１の各々を側壁３の上部に吸着させる。複数の吸着部２１は、上側養生板１５を保持する。上側養生板１５は、収納箱７より上方の側壁３の前方に配置される。上側養生板１５は、上側養生面１７を前方に向けて配置される。作業員は、下側養生幕２５の下端部を巻取り装置２６から引き出す。作業員は、複数の下側吸着部２３の各々を収納箱７の前面に吸着させる。複数の下側吸着部２３は、下側養生幕２５を保持する。下側養生幕２５は、収納箱７の意匠面１２の前方に配置される。下側養生幕２５は、下側養生面１８を前方に向けて配置される。
【００９１】
図１５において、使用状態における１つのかご側壁養生装置６が示される。
【００９２】
使用状態において、養生体１４は、上側養生板１５と下側養生幕２５とによって、側壁３を前方から覆うことで保護する。また、下側養生幕２５は、意匠面１２を前方から覆うことで保護する。
【００９３】
作業員は、運搬作業が終了したとき、あるいは運搬作業を一時的に中断するときに、複数のかご側壁養生装置６の各々を収納状態に切り替える。作業員は、下側養生幕２５を手前に引くことで、複数の下側吸着部２３の各々を収納箱７の前面から取り外す。作業員は、下側養生幕２５を巻取り装置２６によって巻き取る。収納箱７の意匠面１２は、前方に露出する。作業員は、上側養生板１５を手前に引くことで、複数の吸着部２１の各々を側壁３から取り外す。養生体１４は、一対のガイド部２０にガイドされながら下方に平行移動させられる。作業員は、養生体１４を、収納箱７の上端から下方にそのまま収納する。作業員は、蓋９を閉める。養生体１４は、意匠面１２より後方で収納箱７に収納される。
【００９４】
以上に説明したように、実施の形態３に係るエレベーターのかご側壁養生装置６の養生体１４は、下側養生幕２５と、巻取り装置２６と、を備える。下側養生幕２５は、下側養生面１８を有する。巻取り装置２６は、下側養生幕２５を巻き取る。
【００９５】
巻取り装置２６は、下側養生幕２５をコンパクトに巻き取る。このため、かご側壁養生装置６がコンパクトになる。これにより、かご側壁養生装置６が利用者の邪魔になりにくい。
【００９６】
なお、巻取り装置２６は、収納口１９の前側に設けられてもよい。
【００９７】
実施の形態４．
実施の形態４では、実施の形態１から実施の形態３で開示された例と相違する点について詳しく説明する。実施の形態４で説明しない特徴については、実施の形態１から実施の形態３で開示された例のいずれの特徴が採用されてもよい。
【００９８】
図１６および図１７を用いて実施の形態４に係るかご側壁養生装置の構成を説明する。
図１６は、実施の形態４に係るかご側壁養生装置の上面図である。図１７は、実施の形態４に係るかご側壁養生装置のＡ−Ａ断面図である。
【００９９】
図１６において、収納状態における１つのかご側壁養生装置６について、収納箱７の蓋９が開いている状態が示される。
【０１００】
複数のかご側壁養生装置６の各々は、養生体１４を備える。
【０１０１】
養生体１４は、上側養生板１５と、下側養生板１６と、を備える。上側養生板１５は、一枚の板状の部材である。上側養生板１５は、例えば矩形の部材である。上側養生板１５は、上側養生面１７を有する。上側養生面１７は、養生面である。上側養生板１５は、養生材である。下側養生板１６は、一枚の板状の部材である。下側養生板１６は、例えば矩形の部材である。下側養生板１６は、下側養生面１８を有する。下側養生面１８は、養生面である。下側養生板１６は、養生材である。下側養生板１６は、意匠面１２を有する。意匠面１２は、下側養生面１８の裏側の面に設けられる。
【０１０２】
収納箱７は、前面に切抜き溝１３を有する。収納状態において、収納箱７の前面の切抜き溝１３を通じて、下側養生板１６の意匠面１２が収納箱７の前面に配置される。
【０１０３】
収納箱７は、上端に収納口１９を有する。収納箱７は、一対のガイド部２０を備える。一対のガイド部２０の各々は、上下方向に延びる部材である。一対のガイド部２０の各々の断面は、例えばコの字状の形状である。一対のガイド部２０の各々は、互いに対向するように収納箱７の左右の各々の端部に設けられる。一対のガイド部２０の各々は、上側養生板１５の左右の各々の端部を囲う。一対のガイド部２０の各々は、下側養生板１６の左右の各々の端部を囲う。
【０１０４】
図１７において、収納状態における１つのかご側壁養生装置６について、収納箱７の蓋９が閉じている状態が示される。
【０１０５】
収納状態において、下側養生板１６の養生面は収納箱７の前面に配置される。下側養生板１６は、下側養生面１８を後方に向けて収納される。上側養生板１５は、下側養生板１６より後方に配置される。上側養生板１５は、上側養生面１７を前面に向けて収納される。
【０１０６】
続いて、図１８を用いて実施の形態４に係るかご側壁養生装置による養生材の着脱を説明する。
図１８は、実施の形態４に係るかご側壁養生装置のＡ−Ａ断面図である。
【０１０７】
図１８において、使用状態における１つのかご側壁養生装置６が示される。
【０１０８】
作業員は、運搬作業を開始する前に、複数のかご側壁養生装置６の各々を使用状態に切り替える。作業員は、収納状態から使用状態に切り替えるときに、蓋９を開く。作業員は、上側養生板１５を、収納箱７の上端から上方にそのまま引き出す。上側養生板１５は、一対のガイド部２０にガイドされながら上方に平行移動させられる。作業員は、複数の吸着部２１の各々を側壁３の上部に吸着させる。複数の吸着部２１は、上側養生板１５を保持する。上側養生板１５は、収納箱７より上方の側壁３の前方に配置される。上側養生板１５は、上側養生面１７を前方に向けて配置される。
【０１０９】
作業員は、下側養生板１６を収納箱７の上端から上方に引き出す。作業員は、下側養生板１６の前後を入れ替えて収納箱７の上端から下方に挿入する。下側養生板１６は、下側養生面１８を前方に向けて配置される。下側養生面１８は、意匠面１２の前方に配置される。
【０１１０】
作業員は、運搬作業が終了したとき、あるいは運搬作業を一時的に中断するときに、複数のかご側壁養生装置６の各々を収納状態に切り替える。作業員は、下側養生板１６の前後を入れ替える。意匠板１１は、意匠面１２を前方に向けて配置される。作業員は、上側養生板１５を手前に引くことで、複数の吸着部２１の各々を側壁３から取り外す。上側養生板１５は、一対のガイド部２０にガイドされながら下方に平行移動させられる。作業員は、上側養生板１５を、収納箱７の上端から下方にそのまま収納する。作業員は、蓋９を閉める。養生体１４は、上側養生面１７および下側養生面１８が意匠面１２より後方となるように収納箱７に収納される。
【０１１１】
以上に説明したように、実施の形態４に係るエレベーターのかご側壁養生装置６は、収納箱７と、養生体１４と、を備える。収納箱７は、エレベーターのかご１の内側の側壁３に沿って側壁３の前方に設けられる。養生体１４は、吸着部２１を備える。養生体１４は、意匠面１２、上側養生面１７および下側養生面１８を有する。収納状態において、養生体１４の意匠面１２は、収納箱７の前面に配置される。収納状態において、養生体１４は収納箱７に収納される。収納状態から使用状態への切替えにおいて、養生体１４の上側養生面１７が収納箱７から上方に平行移動させられる。使用状態において、吸着部２１は、側壁３に吸着することで上側養生面１７を収納箱７より上方の側壁３の前方に保持する。使用状態において、養生体１４の下側養生面１８が意匠面１２の前方に配置される。
【０１１２】
収納箱７は、かご１の内側に直接設けられる。これにより、既設のエレベーターのかご１に容易に適用できる。収納状態において、意匠面１２は、かご側壁養生装置６の前面をなす。養生体１４は、収納状態において上側養生面１７および下側養生面１８が意匠面１２より後方となるように収納箱７に収納される。このため、収納状態において養生体１４は隠蔽される。これにより、収納状態においてかご１の内側の意匠性が損なわれない。下側養生面１８は、使用状態において意匠面１２より前方に配置される。上側養生面１７は、収納箱７より上方の側壁３の前方に配置される。これにより、側壁３および意匠面１２が保護される。収納状態から使用状態への切替えは、上側養生面１７を有する上側養生板１５を収納箱７からそのまま上方に引き上げることで行われる。上側養生板１５は、吸着部２１により側壁３に保持される。このため、かご側壁養生装置６の収納状態から使用状態への切り替えが容易にできる。これにより、かご側壁養生装置６は、養生材の着脱を容易に切り替えられ、かつ、既設のエレベーターのかご１に容易に適用できる。
【０１１３】
また、養生体１４は、下側養生板１６を備える。下側養生板１６は、一方の面に下側養生面１８を有する。下側養生板１６は、他方の面に意匠面１２を有する。
【０１１４】
養生体１４は、意匠面１２を有する意匠板１１を下側養生板１６の他に必要としない。このため、収納箱７の厚さが薄くなる。これにより、かご側壁養生装置６が利用者の邪魔になりにくい。
【符号の説明】
【０１１５】
１  かご、  ２  床面、  ３  側壁、  ４  巾木、  ５  かご扉、  ６  かご側壁養生装置、  ７  収納箱、  ８  接続部、  ９  蓋、  １０  把持部、  １１  意匠板、  １２  意匠面、  １３  切抜き溝、  １４  養生体、  １５  上側養生板、  １６  下側養生板、  １７  上側養生面、  １８  下側養生面、  １９  収納口、  ２０  ガイド部、  ２１  吸着部、  ２２  接続部材、  ２３  下側吸着部、  ２４  中間部、  ２５  下側養生幕、  ２６  巻取り装置
【図１】
2020045232.tif 000003
【図２】
2020045232.tif 000004
【図３】
2020045232.tif 000005
【図４】
2020045232.tif 000006
【図５】
2020045232.tif 000007
【図６】
2020045232.tif 000008
【図７】
2020045232.tif 000009
【図８】
2020045232.tif 000010
【図９】
2020045232.tif 000011
【図１０】
2020045232.tif 000012
【図１１】
2020045232.tif 000013
【図１２】
2020045232.tif 000014
【図１３】
2020045232.tif 000015
【図１４】
2020045232.tif 000016
【図１５】
2020045232.tif 000017
【図１６】
2020045232.tif 000018
【図１７】
2020045232.tif 000019
【図１８】
2020045232.tif 000020